(57)【要約】【課題】  外観美感の向上を図るとともに雨水による外壁面の汚染を防ぐことが可能な排水管連結部材を提供する。【解決手段】  本発明は、傾斜配置された排水管５内を流れる雨水を竪樋へと導くための排水管連結部材１に関するものである。排水管連結部材１は、排水管５の端部を引き込むための第１開口９が形成された起立板部８と竪樋の端部開口に連通する第２開口１０が形成された底板部７とを有する止め部材２と、第１開口１０に挿通された排水管５の端部に係合して、排水管５が第１開口９から抜け出ることを防止する係合部材３と、止め部材２に着脱可能に外嵌する飾り部材４とを備えている。【選択図】  図１
2005299332.tif 000002
【特許請求の範囲】
【請求項１】
建物の外壁面から突出された排水管内を流れる雨水を竪樋へと導くための排水管連結部
材であって、
前記排水管の端部を引き込むための第１開口が形成された起立板部と、前記竪樋の端部
開口に連通する第２開口が形成された底板部とを有する止め部材と、
前記第１開口に挿通された前記排水管の端部に係合して、前記排水管が前記第１開口か
ら抜け出るのを防止する係合部材と、
前記止め部材に着脱可能に外嵌する飾り部材と
を備えたことを特徴とする排水管連結部材。
【請求項２】
前記飾り部材の上面部に、該飾り部材の上面部に降下した雨水を前記第２開口へと導くための導通孔が形成されていることを特徴とする請求項１に記載の排水管連結部材。
【請求項３】
前記第２開口に網目状部材が設置されていることを特徴とする請求項１又は請求項２に
記載の排水管連結部材。
【発明の詳細な説明】
【技術分野】
【０００１】
本発明は、建物の外壁面から突設された排水管内を流れる雨水を竪樋へと導くための排
水管連結部材に関する。
【背景技術】
【０００２】
従来の雨樋の構造として、竪樋をそのまま突出させて、傾斜配置された排水管（排水管
）や軒樋を流れる雨水を、竪樋の端部に導き入れる構造や、壁面に合わせて排水管を切断
して雨水を導き入れる構造や、竪樋の上端部に集水器を設置し、この集水器に雨水が流れ
込むように排水管や軒樋の端部を固定した構造や排水管の端部にエルボを取り付ける構造
が知られている（例えば、特許文献１参照）。
【特許文献１】特開平１０−２０５０８７号公報  （第７図）
【発明の開示】
【発明が解決しようとする課題】
【０００３】
しかしながら、竪樋がそのまま突出された雨樋や、エルボを用いた雨樋では、外観美感
が悪く、壁面に合わせて切断された排水管の配設構造では、雨水が外壁面を汚してしまう
という問題があった。
【０００４】
本発明は上記問題を解決するためになされたものであり、外観美感の向上を図るととも
に雨水による外壁面の汚染を防ぐことが可能な排水管連結部材を提供することを課題とす
る。
【課題を解決するための手段】
【０００５】
上記課題を解決するために、請求項１に係る発明は、建物の外壁面から突出された排水
管内を流れる雨水を竪樋へと導くための排水管連結部材であって、前記排水管の端部を引
き込むための第１開口が形成された起立板部と、前記竪樋の端部開口に連通する第２開口
が形成された底板部とを有する止め部材と、前記第１開口に挿通された前記排水管の端部
に係合して、前記排水管が前記第１開口から抜け出るのを防止する係合部材と、前記止め
部材に着脱可能に外嵌する飾り部材とを備えた排水管連結部材であることを特徴とする。
【０００６】
請求項２に係る発明は、請求項１に記載の排水管連結部材において、前記飾り部材の上
面部に、該飾り部材の上面部に降下した雨水を前記第２開口へと導くための導通孔が形成されていることを特徴とする。
【０００７】
請求項３に係る発明は、請求項１又は請求項２に記載の排水管連結部材において、前記
第２開口に網目状部材が設置されていることを特徴とする。
【発明の効果】
【０００８】
請求項１に係る発明によれば、飾り部材を止め部材に外嵌することにより、起立板部の
内面及び底板部の内面が露呈することを防止することができるので、排水管連結部材の外
観美感の向上を図ることが可能になる。また、排水管を流れる雨水が建物の外壁面等に流
れ出すことなく竪樋へ導かれるので、建物の外壁面等が雨水等により汚れてしまうことを
防止することができる。
【０００９】
請求項２に係る発明によれば、飾り部材の上面に降下した雨水が、導通孔を通って飾り
部材の内部に入り、第２開口へと導かれるので、雨水が飾り部材４の側壁面を伝って雨だ
れして、側壁面を汚してしまうことを防止することができる。
【００１０】
さらに、請求項３に係る発明によれば、第２開口に網目状部材を設置することによって
、雨水以外のもの、例えば、落ち葉や小動物等が、排水管連結部から竪樋へと侵入するこ
とを防止することができる。
【発明を実施するための最良の形態】
【００１１】
以下、本発明に係る排水管連結部材を、図面を用いて説明する。
【００１２】
図１は、排水管連結部材を示した展開斜視図であり、排水管連結部材１は、止め部材２
と、係合部材３と、飾り部材４とを備えている。
【００１３】
止め部材２は、排水管５を流れる雨水を竪樋へと導くために設けられるものである。止
め部材２は、端部がＵ字に湾曲したかまぼこ端面形状を呈して周縁部にリブ６が形成され
た底面部７と、この底面部７の端辺に垂直に立設する略長方形状の起立壁８とを備えてい
る。
【００１４】
起立壁８には、排水管５の端部を挿通するための第１開口９が形成されている。この第
１開口９は、排水管５が勾配された状態で設置されることを考慮して、排水管５の外径よりも僅かに大径に形成される。底面部７にも同様に第２開口１０が形成されており、この第２開口１０には竪樋を連結することが可能となっている。
【００１５】
係合部材３は、第１開口９に挿通された排水管５の端部に係合することにより排水管５
が第１開口から抜け出ることを防止することを目的として設けられるものである。係合部
材３は、排水管５に係合するように、排水管５の外径に等しい内径を備え、外径が第１開
口９の内径よりも大径となるような円環形状を呈している。係合部材３は排水管５からの
脱落を防止するために、接着剤等で排水管５の端部に固定される。
【００１６】
飾り部材４は、止め部材２に外嵌することにより、止め部材２の起立壁８内面及び底面
部７内面の露呈を防止し、外観美感の向上を図るために設けられるものである。飾り部材
４は止め部材２に着脱可能に取り付けられ、飾り部材４が止め部材２に取り付けられると
、飾り部材４と止め部材２とにより中空略かまぼこ形状の筒形状を形成する。飾り部材４
の上面１２は、端辺部１３からＵ字に湾曲したかまぼこ状頂上部１４へ向けて傾斜してお
り、上面１２の傾斜下端（かまぼこ状頂上部１４）には、図２に示すように、飾り部材４
内に雨水を導き入れるための導通孔１５が形成されている。また、上面１２の周縁には上
面１２の傾斜により導通孔１５に流れ込む雨水を導通孔１５に案内するための案内壁１６
が形成されている。
【００１７】
このように排水管連結部材１を形成することによって、飾り部材４により外観美感の向
上を図ることが可能になると共に、排水管５を流れる雨水が建物の外壁面等に流れ出すこ
となく竪樋へ導かれるので、建物の外壁面等が雨水等により汚れてしまうことを防止する
ことができる。
【００１８】
また、飾り部材４の上面１２に降下した雨水が、傾斜した上面１２及び案内壁１６によ
り導通孔１５に案内されて飾り部材４内に導かれるので、上面１２に溜まった雨水が飾り
部材４の側壁面を伝って雨だれして、側壁面を汚してしまうことを防止することができる
。
【００１９】
以上、本発明に係る排水管連結部材を、図面を用いて説明したが、本発明に係る排水管
連結部材は上述したものに限定されるものではない。例えば、図３（ａ）に示すように、
係合部材３ａの円環形状部の一部に切り込み１７を入れて、排水管の径がどのような外径
のものであっても係合するようにしてもよく、また図３（ｂ）に示すように、係合部材３
ｂが回転してしまうことを防止するために、起立壁の内壁幅に対応させた回転防止板１８
を係合部材３（ｂ）の起立壁との当接周縁部に設けてもよい。
【００２０】
さらに、図４（ａ）に示すように、第２開口１０に直接網目状部材２０を設け、又は、
図４（ｂ）に示すように、網目状部材２０が開口部に形成された筒状部材２１を、第２開
口１０に設置するようにしてもよい。このように網目状部材を設置することによって、雨
水以外のもの、例えば、落ち葉や小動物等が、排水管連結部から竪樋へと侵入することを
防止することができる。
【図面の簡単な説明】
【００２１】
【図１】本発明に係る排水管連結部材を示した展開斜視図である。
【図２】図１に示した飾り部材のＡ−Ａ断面を示した図である。
【図３】係合部材の他の例を示した斜視図であって、（ａ）は切り込みを入れたもの。（ｂ）は回転防止板を設けたものを示している。
【図４】止め部材の第２開口に網目状部材を設けた様子を示した斜視図であって、（ａ）は第２開口に直接網目状部材を設けた図であり、（ｂ）は網目状部材が開口部に形成された筒状部材を示した図である。
【符号の説明】
【００２２】
１  排水管連結部材
２  止め部材
３，３ａ，３ｂ  係合部材
４  飾り部材
５  排水管
７  底面部（底板）
８  起立部（起立板）
９  第１開口
１０  第２開口
１２  上面
１５  導通孔
２０  網目状部材
【図１】
2005299332.tif 000003
【図２】
2005299332.tif 000004
【図３】
2005299332.tif 000005
【図４】
2005299332.tif 000006